【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
マルチビュー又は３次元高効率ビデオコード化（ＨＥＶＣ）におけるビデオデータを復号する方法であって、
現在ビュー及び現在アクセス単位の中の現在ピクチャの現在予測単位（ＰＵ）を識別することと、ここにおいて、前記現在ＰＵは、参照ビュー及び前記現在アクセス単位の中の視差参照ピクチャを示す視差ベクトルを有し、
前記視差ベクトル及びスケーリングされた動きベクトルが前記参照ビューの固定された参照ピクチャを示すように、前記現在ピクチャと前記現在ビューの時間参照ピクチャとの間のピクチャ順序カウント（ＰＯＣ）距離と、前記現在ピクチャと前記参照ビューの前記固定された参照ピクチャとの間のＰＯＣ距離との差を補償するために、前記現在ＰＵの動きベクトルをスケーリングすることと、
ここにおいて、前記現在ＰＵの参照インデックスは、前記現在ピクチャの参照ピクチャリスト内の前記時間参照ピクチャの位置を示す、
前記現在ＰＵのための予測ブロックを決定することと、
前記現在ＰＵの前記視差ベクトルによって示される位置に関連付けられた前記視差参照ピクチャのサンプルに基づいて、視差参照ブロックを決定することと、
前記現在ＰＵの前記スケーリングされた動きベクトルと前記視差ベクトルとによって示される位置に関連付けられた前記固定された参照ピクチャのサンプルに基づいて、前記現在ＰＵのための時間視差参照ブロックを決定することと、
前記現在ＰＵに対する残差予測子を決定することと、ここにおいて、前記現在ＰＵに対する前記残差予測子の各サンプルは、前記現在ＰＵのための前記時間視差参照ブロックのサンプルと前記視差参照ブロックの対応するサンプルとの差を示す、
信号伝達された残差ブロックと、前記現在ＰＵに対する前記残差予測子と前記現在ＰＵのための前記予測ブロックとに基づいて、コード化ブロックを再構成することとを備える、方法。
【請求項２】
マルチビュー又は３次元高効率ビデオコード化（ＨＥＶＣ）におけるビデオデータを符号化する方法であって、
現在ビュー及び現在アクセス単位の中の現在ピクチャの現在予測単位（ＰＵ）を識別することと、ここにおいて、前記現在ＰＵは、参照ビュー及び前記現在アクセス単位の中の視差参照ピクチャを示す視差ベクトルを有し、
前記視差ベクトル及びスケーリングされた動きベクトルが前記参照ビューの固定された参照ピクチャを示すような、前記現在ピクチャと前記現在ビューの時間参照ピクチャとの間のピクチャ順序カウント（ＰＯＣ）距離と、前記現在ピクチャと前記参照ビューの前記固定された参照ピクチャとの間のＰＯＣ距離との差を補償するために、前記現在ＰＵの動きベクトルをスケーリングすることと、
ここにおいて、前記現在ＰＵの参照インデックスは、前記現在ピクチャの参照ピクチャリスト内の前記時間参照ピクチャの位置を示す、
前記現在ＰＵのための予測ブロックを決定することと、
前記現在ＰＵの前記視差ベクトルによって示される位置に関連付けられた前記視差参照ピクチャのサンプルに基づいて、視差参照ブロックを決定することと、
前記現在ＰＵの前記スケーリングされた動きベクトルと前記視差ベクトルとによって示される位置に関連付けられた前記固定された参照ピクチャのサンプルに基づいて、前記現在ＰＵのための時間視差参照ブロックを決定することと、
前記現在ＰＵに対する残差予測子を決定することと、ここにおいて、前記現在ＰＵに対する前記残差予測子の各サンプルは、前記現在ＰＵのための前記時間視差参照ブロックのサンプルと前記視差参照ブロックの対応するサンプルとの差を示す、
現在ＣＵのための最終残差ブロックを決定することと、ここにおいて、前記最終残差ブロックは、前記現在ＣＵのためのコード化ブロック中のサンプルと、前記現在ＰＵのための予測ブロック中のサンプルと、前記現在ＰＵに対する前記残差予測子中のサンプルとの差を示すサンプルを備える、
ビットストリーム中に、前記現在ＣＵのための前記最終残差ブロックを表すデータを含めることと、
ビットストリーム中に、前記現在ＰＵの前記参照インデックスを含めることとを備える、方法。
【請求項３】
前記固定された参照ピクチャが第１の固定された参照ピクチャであり、前記現在ピクチャの前記参照ピクチャリストが前記現在ピクチャの第１の参照ピクチャリストであり、前記時間参照ピクチャが第１の時間参照ピクチャであり、前記時間視差参照ブロックが第１の時間視差参照ブロックであり、前記現在ＰＵの前記動きベクトルが前記現在ＰＵの第１の動きベクトルであり、
前記第１の固定された参照ピクチャのピクチャ順序カウント（ＰＯＣ）値が、前記現在ピクチャの前記第１の参照ピクチャリスト中の参照ピクチャのＰＯＣ値と一致し、
第２の固定された参照ピクチャのＰＯＣ値が、前記現在ピクチャの第２の参照ピクチャリスト中の参照ピクチャのＰＯＣ値と一致する、請求項１又は２に記載の方法であって、
前記方法は、前記第２の固定された参照ピクチャと第２の時間参照ピクチャとの時間差を補償するために、前記現在ＰＵの第２の動きベクトルをスケーリングすることを更に備え、前記現在ＰＵの第２の参照インデックスが、前記現在ピクチャの前記第２の参照ピクチャリスト中での、前記第２の時間参照ピクチャの位置を示し、
前記現在ＰＵのための前記時間視差参照ブロックを決定することが、
前記スケーリングされた第１の動きベクトルによって示される位置における前記第１の固定された参照ピクチャのサンプルに基づいて、第１の予測時間視差参照ブロックを決定することと、
前記スケーリングされた第２の動きベクトルによって示される位置における前記第２の固定された参照ピクチャのサンプルに基づいて、第２の予測時間視差参照ブロックを決定することと、
前記第１の予測時間視差参照ブロック及び第２の予測時間視差参照ブロックに基づいて、前記現在ＰＵのための前記時間視差参照ブロックを決定することとを備える、請求項１又は２に記載の方法。
【請求項４】
前記現在ピクチャの各々のそれぞれのＰＵに対して、前記現在ピクチャの前記参照ピクチャリストに関連付けられる動きベクトルと前記それぞれのＰＵの前記視差ベクトルとに基づいて前記それぞれのＰＵのための時間視差参照ブロックを決定するために前記参照ビュー中で動き補償を実行するとき、前記固定された参照ピクチャ以外の参照ピクチャがアクセスされない、請求項１又は２に記載の方法、及び／又は、前記現在ピクチャの各々のそれぞれのＰＵに対して、前記現在ＰＵの前記スケーリングされた第２の動きベクトルと前記現在ＰＵの前記視差ベクトルとに基づいて前記それぞれのＰＵのための時間視差参照ブロックを決定するために前記参照ビュー中で動き補償を実行するとき、前記第２の固定された参照ピクチャ以外の参照ピクチャがアクセスされない、請求項３に記載の方法。
【請求項５】
前記現在ＰＵのための前記予測ブロックを決定することが、前記スケーリングされた動きベクトルによって示される位置に関連付けられた割り当てられた参照ピクチャのサンプルに基づいて前記予測ブロックを決定することを備え、前記割り当てられた参照ピクチャのピクチャ順序カウント（ＰＯＣ）値が前記固定された参照ピクチャのＰＯＣ値と一致し、前記割り当てられた参照ピクチャが前記現在ピクチャと同じビューの中にある、請求項１又は２に記載の方法。
【請求項６】
前記固定された参照ピクチャが、前記現在ピクチャのための前記参照ピクチャリスト中の参照ピクチャのピクチャ順序カウント（ＰＯＣ）値と一致するＰＯＣ値を有する、請求項１又は２に記載の方法。
【請求項７】
前記現在ビューの中にある割り当てられたピクチャを決定することと、
前記視差参照ピクチャの参照ピクチャリストが前記割り当てられたピクチャと同じＰＯＣ値を有する特定の参照ビューピクチャを含むとき、前記特定の参照ビューピクチャとなるように前記固定された参照ピクチャを設定することとを更に備え、
前記割り当てられたピクチャが、前記現在ピクチャの前記参照ピクチャリストの中で最小の参照ピクチャインデックスを有すること、
前記割り当てられたピクチャの前記ＰＯＣ値が、前記現在ピクチャの前記参照ピクチャリスト中の任意の他の参照ピクチャのＰＯＣ値よりも、前記現在ピクチャのＰＯＣ値に近いこと、
前記割り当てられたピクチャの時間識別子が、前記現在ピクチャの前記参照ピクチャリスト中の任意の他の参照ピクチャの時間識別子よりも低いこと、
前記割り当てられたピクチャの量子化パラメータが、前記現在ＰＵの前記参照ピクチャリスト中の参照ピクチャの中で最小の量子化パラメータであること、及び、
前記割り当てられたピクチャが、スライスヘッダ、ピクチャパラメータセット、又はビデオパラメータセットにおいて信号伝達されること  という基準の１つが、前記割り当てられたピクチャを特徴付け、前記方法は好ましくは、
前記視差参照ピクチャの前記参照ピクチャリストが、前記割り当てられたピクチャと同じＰＯＣ値を有する参照ピクチャを含まないとき、前記視差参照ピクチャの前記参照ピクチャリスト中のピクチャとなるように、前記固定された参照ピクチャを設定することを更に備える、請求項１又は２に記載の方法。
【請求項８】
前記固定された参照ピクチャが、
前記固定された参照ピクチャが、前記視差参照ピクチャの参照ピクチャリストの中で最小の参照ピクチャインデックスを有すること、
前記固定された参照ピクチャのＰＯＣ値が、前記参照ビューに属する任意の他の参照ピクチャのＰＯＣ値よりも、前記現在ピクチャのＰＯＣ値に近いこと、
前記固定された参照ピクチャの時間識別子が、前記参照ビューの任意の他の参照ピクチャの時間識別子よりも低いこと、及び、
前記固定された参照ピクチャの量子化パラメータが、前記参照ビューの任意の他の参照ピクチャの量子化パラメータよりも低いことという基準の１つを満たす、請求項１又は２に記載の方法。
【請求項９】
前記現在ＰＵのための前記視差ベクトルを決定するために、隣接ブロックベースの視差ベクトル（ＮＢＤＶ）導出プロセスを実行することを更に備え、
前記固定された参照ピクチャが、前記ＮＢＤＶ導出プロセスで使用される第１の候補ピクチャ又は第２の候補ピクチャのＰＯＣ値と等しいＰＯＣ値を有する、請求項１又は２に記載の方法。
【請求項１０】
前記動きベクトルをスケーリングした後で、前記現在ＰＵの前記スケーリングされた動きベクトルを整数精度へと丸めることを更に備え、
前記時間視差参照ブロックを決定することが、前記丸められたスケーリングされた動きベクトルと前記視差参照ブロックの位置とに基づいて、前記現在ＰＵに対する前記残差予測子を決定することを備える、請求項１又は２に記載の方法。
【請求項１１】
前記現在ＰＵのための前記予測ブロックを決定することが、小数サンプル補間のために、前記時間参照ピクチャのルーマ成分及びクロマ成分に双線形フィルタを適用することを備える、請求項１又は２に記載の方法又は前記現在ＰＵのための前記予測ブロックを決定することが、小数サンプル補間のために、前記割り当てられた参照ピクチャのルーマ成分及びクロマ成分に双線形フィルタを適用することを備える、請求項５に記載の方法。
【請求項１２】
マルチビュー又は３次元高効率ビデオコード化（ＨＥＶＣ）におけるビデオデータを復号するためのビデオコード化装置であって、
現在ビュー及び現在アクセス単位の中の現在ピクチャの現在予測単位（ＰＵ）を識別するための手段と、ここにおいて、前記現在ＰＵは、参照ビュー及び前記現在アクセス単位の中の視差参照ピクチャを示す視差ベクトルを有し、
前記視差ベクトル及びスケーリングされた動きベクトルが前記参照ビューの固定された参照ピクチャを示すような、前記現在ピクチャと前記現在ビューの時間参照ピクチャとの間のピクチャ順序カウント（ＰＯＣ）距離と、前記現在ピクチャと前記参照ビューの前記固定された参照ピクチャとの間のＰＯＣ距離との差を補償するために、前記現在ＰＵの動きベクトルをスケーリングするための手段と、
ここにおいて、前記現在ＰＵの参照インデックスは、前記現在ピクチャの参照ピクチャリスト内の前記時間参照ピクチャの位置を示し、
前記現在ＰＵのための予測ブロックを決定するための手段と、
前記現在ＰＵの視差ベクトルによって示される位置に関連付けられた前記視差参照ピクチャのサンプルに基づいて、視差参照ブロックを決定するための手段と、
前記現在ＰＵの前記スケーリングされた動きベクトルと前記視差ベクトルとによって示される位置に関連付けられた前記固定された参照ピクチャのサンプルに基づいて、前記現在ＰＵのための時間視差参照ブロックを決定するための手段と、
前記現在ＰＵに対する残差予測子を決定するための手段と、ここにおいて、前記現在ＰＵに対する前記残差予測子の各サンプルは、前記現在ＰＵのための前記時間視差参照ブロックのサンプルと前記視差参照ブロックの対応するサンプルとの差を示す、
信号伝達された残差ブロックと、前記現在ＰＵに対する前記残差予測子と、前記現在ＰＵのための前記予測ブロックとに基づいて、コード化ブロックを再構成することとを備える、装置。
【請求項１３】
マルチビュー又は３次元高効率ビデオコード化（ＨＥＶＣ）におけるビデオデータを符号化するためのビデオコード化装置であって、
現在ビュー及び現在アクセス単位の中の現在ピクチャの現在予測単位（ＰＵ）を識別するための手段と、ここにおいて、前記現在ＰＵは、参照ビュー及び前記現在アクセス単位の中の視差参照ピクチャを示す視差ベクトルを有し、
前記視差ベクトル及びスケーリングされた動きベクトルが前記参照ビューの固定された参照ピクチャを示すような、前記現在ピクチャと前記現在ビューの時間参照ピクチャとの間のピクチャ順序カウント（ＰＯＣ）距離と、前記現在ピクチャと前記参照ビューの前記固定された参照ピクチャとの間のＰＯＣ距離との差を補償するために、前記現在ＰＵの動きベクトルをスケーリングするための手段と、
ここにおいて、前記現在ＰＵの参照インデックスは、前記現在ピクチャの参照ピクチャリスト内の前記時間参照ピクチャの位置を示す、
前記現在ＰＵのための予測ブロックを決定するための手段と、
前記現在ＰＵの前記視差ベクトルによって示される位置に関連付けられた前記視差参照ピクチャのサンプルに基づいて、視差参照ブロックを決定するための手段と、
前記現在ＰＵの前記スケーリングされた動きベクトルと前記視差ベクトルとによって示される位置に関連付けられた前記固定された参照ピクチャのサンプルに基づいて、前記現在ＰＵのための時間視差参照ブロックを決定するための手段と、
前記現在ＰＵに対する残差予測子を決定するための手段と、ここにおいて、前記現在ＰＵに対する前記残差予測子の各サンプルは、前記現在ＰＵのための前記時間視差参照ブロックのサンプルと前記視差参照ブロックの対応するサンプルとの差を示す、
現在ＣＵのための最終残差ブロックを決定するための手段と、ここにおいて、前記最終残差ブロックは、前記現在ＣＵのためのコード化ブロック中のサンプルと、前記現在ＰＵのための予測ブロック中のサンプルと、前記現在ＰＵに対する前記残差予測子中のサンプルとの差を示すサンプルを備え、
ビットストリーム中に、前記現在ＣＵのための前記最終残差ブロックを表すデータを含めるための手段と、
ビットストリーム中に、前記現在ＰＵの前記参照インデックスを含めるための手段とを備える、装置。
【請求項１４】
実行されると、請求項１−１１のうちのいずれかの方法を実行するようにビデオコード化装置を構成する命令を記憶した、コンピュータ可読記憶媒体。
【請求項１５】
前記ビデオコード化装置は、
集積回路と、
マイクロプロセッサと、
ワイヤレスハンドセットと
の少なくとも１つで構成され、及び／又は、
前記ビデオコード化装置は、復号ビデオデータを表示するように構成される表示器及び／又は、前記ビデオデータを取得するように構成されたカメラを更に備える、請求項１３又は１４のビデオコード化装置。
【手続補正２】
【補正対象書類名】明細書
【補正対象項目名】０２５８
【補正方法】変更
【補正の内容】
【０２５８】
[0261]様々な例について説明してきた。これら及び他の例は、以下の特許請求の範囲内である。
以下に、本願出願の当初の特許請求の範囲に記載された発明を付記する。
［Ｃ１］
ビデオデータを復号する方法であって、
現在ピクチャと時間参照ピクチャとの間のピクチャ順序カウント（ＰＯＣ）距離と、前記現在ピクチャと固定されたピクチャとの間のＰＯＣ距離との差を補償するために、前記現在ピクチャの現在予測単位（ＰＵ）の動きベクトルをスケーリングすることと、
ここにおいて、前記現在ピクチャは、現在ビューの中にあり、現在アクセス単位の中にあり、視差参照ピクチャは、参照ビューの中にあり、前記現在アクセス単位の中にあり、前記時間参照ピクチャは、前記現在ビューの中にあるが前記現在アクセス単位の中になく、前記現在ＰＵの参照インデックスは、前記現在ピクチャの参照ピクチャリスト内の前記時間参照ピクチャの位置を示す、
前記現在ＰＵのための予測ブロックを決定することと、
前記現在ＰＵの視差ベクトルによって示される位置に関連付けられた前記視差参照ピクチャのサンプルに基づいて、視差参照ブロックを決定することと、
前記現在ＰＵの前記スケーリングされた動きベクトルと前記視差ベクトルとによって示される位置に関連付けられた前記固定された参照ピクチャのサンプルに基づいて、前記現在ＰＵのための時間視差参照ブロックを決定することと、
前記現在ＰＵに対する残差予測子を決定することと、ここにおいて、前記現在ＰＵに対する前記残差予測子の各サンプルは、前記現在ＰＵのための前記時間視差参照ブロックのサンプルと前記視差参照ブロックの対応するサンプルとの差を示す、
信号伝達された残差ブロックと、前記現在ＰＵに対する前記残差予測子と前記現在ＰＵのための前記予測ブロックとに基づいて、コード化ブロックを再構成することとを備える、方法。
［Ｃ２］
前記現在ピクチャの各々のそれぞれのＰＵに対して、前記現在ピクチャの前記参照ピクチャリストに関連付けられる動きベクトルと前記それぞれのＰＵの前期視差ベクトルとに基づいて前記それぞれのＰＵのための時間視差参照ブロックを決定するために前記参照ビュー中で動き補償を実行するとき、前記固定された参照ピクチャ以外の参照ピクチャがアクセスされない、Ｃ１に記載の方法。
［Ｃ３］
前記固定された参照ピクチャが第１の固定された参照ピクチャであり、前記現在ピクチャの前記参照ピクチャリストが前記現在ピクチャの第１の参照ピクチャリストであり、前記時間参照ピクチャが第１の時間参照ピクチャであり、前記時間視差参照ブロックが第１の時間視差参照ブロックであり、前記現在ＰＵの前記動きベクトルが前記現在ＰＵの第１の動きベクトルであり、
前記第１の固定された参照ピクチャのピクチャ順序カウント（ＰＯＣ）値が、前記現在ピクチャの前記第１の参照ピクチャリスト中の参照ピクチャのＰＯＣ値と一致し、
第２の固定された参照ピクチャのＰＯＣ値が、前記現在ピクチャの第２の参照ピクチャリスト中の参照ピクチャのＰＯＣ値と一致する、Ｃ１に記載の方法であって、
前記方法は、前記第２の固定された参照ピクチャと第２の時間参照ピクチャとの時間差を補償するために、前記現在ＰＵの第２の動きベクトルをスケーリングすることを更に備え、前記現在ＰＵの第２の参照インデックスが、前記現在ピクチャの前記第２の参照ピクチャリスト中での、前記第２の時間参照ピクチャの位置を示し、
前記現在ＰＵのための前記時間視差参照ブロックを決定することが、
前記スケーリングされた第１の動きベクトルによって示される前記位置における前記第１の固定された参照ピクチャのサンプルに基づいて、第１の予測時間視差参照ブロックを決定することと、
前記スケーリングされた第２の動きベクトルによって示される位置における前記第２の固定された参照ピクチャのサンプルに基づいて、第２の予測時間視差参照ブロックを決定することと、
前記第１の予測時間視差参照ブロック及び第２の予測時間視差参照ブロックに基づいて、前記現在ＰＵのための前記時間視差参照ブロックを決定することとを備える、Ｃ１に記載の方法。
［Ｃ４］
前記現在ピクチャの各々のそれぞれのＰＵに対して、前記現在ＰＵの前記スケーリングされた第２の動きベクトルと前記現在ＰＵの前記視差ベクトルとに基づいて前記それぞれのＰＵのための時間視差参照ブロックを決定するために前記参照ビュー中で動き補償を実行するとき、前記第２の固定された参照ピクチャ以外の参照ピクチャがアクセスされない、Ｃ３に記載の方法。
［Ｃ５］
前記現在ＰＵのための前記予測ブロックを決定することが、前記スケーリングされた動きベクトルによって示される位置に関連付けられた割り当てられた参照ピクチャのサンプルに基づいて前記予測ブロックを決定することを備え、前記割り当てられた参照ピクチャのピクチャ順序カウント（ＰＯＣ）値が前記固定された参照ピクチャのＰＯＣ値と一致し、前記割り当てられた参照ピクチャが前記現在ピクチャと同じビューの中にある、Ｃ１に記載の方法。
［Ｃ６］
前記固定された参照ピクチャが、前記現在ピクチャの前記参照ピクチャリスト中の参照ピクチャのピクチャ順序カウント（ＰＯＣ）値と一致するＰＯＣ値を有する、Ｃ１に記載の方法。
［Ｃ７］
前記現在ビューの中にある割り当てられたピクチャを決定することと、
前記視差参照ピクチャの参照ピクチャリストが前記割り当てられたピクチャと同じＰＯＣ値を有する特定の参照ビューピクチャを含むとき、前記特定の参照ビューピクチャとなるように前記固定された参照ピクチャを設定することとを更に備え、
前記割り当てられたピクチャが、前記現在ピクチャの前記参照ピクチャリストの中で最小の参照ピクチャインデックスを有すること、
前記割り当てられたピクチャの前記ＰＯＣ値が、前記現在ピクチャの前記参照ピクチャリスト中の任意の他の参照ピクチャのＰＯＣ値よりも、前記現在ピクチャのＰＯＣ値に近いこと、
前記割り当てられたピクチャの時間識別子が、前記現在ピクチャの前記参照ピクチャリスト中の任意の他の参照ピクチャの時間識別子よりも低いこと、
前記割り当てられたピクチャの量子化パラメータが、前記現在ＰＵの前記参照ピクチャリスト中の参照ピクチャの中で最小の量子化パラメータであること、及び、
前記割り当てられた参照ピクチャが、スライスヘッダ、ピクチャパラメータセット、又はビデオパラメータセットにおいて信号伝達されること
という基準の１つが、前記割り当てられた参照ピクチャを特徴付ける、Ｃ１に記載の方法。
［Ｃ８］
前記視差参照ピクチャの前記参照ピクチャリストが、前記割り当てられたピクチャと同じＰＯＣ値を有する参照ピクチャを含まないとき、前記視差参照ピクチャの前記参照ピクチャリスト中の別のピクチャとなるように、前記固定された参照ピクチャを設定することを更に備える、Ｃ７に記載の方法。
［Ｃ９］
前記固定された参照ピクチャが、
前記固定された参照ピクチャが、前記視差参照ピクチャの参照ピクチャリストの中で最小の参照ピクチャインデックスを有すること、
前記固定された参照ピクチャのＰＯＣ値が、前記参照ビューに属する任意の他の参照ピクチャのＰＯＣ値よりも、前記現在ピクチャのＰＯＣ値に近いこと、
前記固定された参照ピクチャの前記時間識別子が、前記参照ビューの任意の他の参照ピクチャの時間識別子よりも低いこと、及び、
前記固定された参照ピクチャの前記量子化パラメータが、前記参照ビューの任意の他の参照ピクチャの量子化パラメータよりも低いことという基準の１つを満たす、Ｃ１に記載の方法。
［Ｃ１０］
前記現在ＰＵのための前記視差ベクトルを決定するために、隣接ブロックベースの視差ベクトル（ＮＢＤＶ）導出プロセスを実行することを更に備え、
前記固定された参照ピクチャが、前記ＮＢＤＶ導出プロセスで使用される前記第１の候補ピクチャ又は第２の候補ピクチャのＰＯＣ値と等しいＰＯＣ値を有する、Ｃ１に記載の方法。
［Ｃ１１］
前記動きベクトルをスケーリングした後で、前記現在ＰＵの前記スケーリングされた動きベクトルを整数精度へと丸めることを更に備え、
前記時間視差参照ブロックを決定することが、前記丸められたスケーリングされた動きベクトルと前期視差参照ブロックの前記位置とに基づいて、前記現在ＰＵに対する前記残差予測子を決定することを備える、Ｃ１に記載の方法。
［Ｃ１２］
前記現在ＰＵのための前記予測ブロックを決定することが、前記時間参照ピクチャのルーマ成分及びクロマ成分に双線形フィルタを適用することを備える、Ｃ１に記載の方法。
［Ｃ１３］
前記現在ＰＵのための前記予測ブロックを決定することが、前記割り当てられた参照ピクチャのルーマ成分及びクロマ成分に双線形フィルタを適用することを備える、Ｃ１に記載の方法。
［Ｃ１４］
ビデオデータを符号化する方法であって、
現在ピクチャと時間参照ピクチャとの間のピクチャ順序カウント（ＰＯＣ）距離と、前記現在ピクチャと固定されたピクチャとの間のＰＯＣ距離との差を補償するために、前記現在ピクチャの現在コード化単位（ＣＵ）の現在予測単位（ＰＵ）の動きベクトルをスケーリングすることと、
ここにおいて、前記現在ピクチャは、現在ビューの中にあり現在アクセス単位の中にあり、視差参照ピクチャは、参照ビューの中にあり前記現在アクセス単位の中にあり、前記時間参照ピクチャは、前記現在ビューの中にあるが前記現在アクセス単位の中になく、前記現在ＰＵの参照インデックスは、前記現在ピクチャの参照ピクチャリスト内の前記時間参照ピクチャの位置を示す、
前記現在ＰＵのための予測ブロックを決定することと、
前記現在ＰＵの視差ベクトルによって示される位置に関連付けられた前記視差参照ピクチャのサンプルに基づいて、視差参照ブロックを決定することと、
前記現在ＰＵの前記スケーリングされた動きベクトルと前記視差ベクトルとによって示される位置に関連付けられた前記固定された参照ピクチャのサンプルに基づいて、前記現在ＰＵのための時間視差参照ブロックを決定することと、
前記現在ＰＵに対する残差予測子を決定することと、ここにおいて、前記現在ＰＵに対する前記残差予測子の各サンプルは、前記現在ＰＵのための前記時間視差参照ブロックのサンプルと前記視差参照ブロックの対応するサンプルとの差を示す、
現在ＣＵのための最終残差ブロックを決定することと、ここにおいて、前記最終残差ブロックは、前記現在ＣＵのためのコード化ブロック中のサンプルと、前記現在ＰＵのための前記予測ブロック中のサンプルと、前記現在ＰＵに対する前記残差予測子中のサンプルとの差を示すサンプルを備える、
ビットストリーム中に、前記現在ＣＵのための前記最終残差ブロックを表すデータを含めることとを備える、方法。
［Ｃ１５］
前記現在ピクチャの各々のそれぞれのＰＵに対して、前記現在ピクチャの前記参照ピクチャリストに関連付けられる動きベクトルと前記それぞれのＰＵの前期視差ベクトルとに基づいて前記それぞれのＰＵのための時間視差参照ブロックを決定するために前記参照ビュー中で動き補償を実行するとき、前記固定された参照ピクチャ以外の参照ピクチャがアクセスされない、Ｃ１４に記載の方法。
［Ｃ１６］
前記固定された参照ピクチャが第１の固定された参照ピクチャであり、前記現在ピクチャの前記参照ピクチャリストが前記現在ピクチャの第１の参照ピクチャリストであり、前記時間参照ピクチャが第１の時間参照ピクチャであり、前記時間視差参照ブロックが第１の時間視差参照ブロックであり、前記現在ＰＵの前記動きベクトルが前記現在ＰＵの第１の動きベクトルであり、
前記第１の固定された参照ピクチャのピクチャ順序カウント（ＰＯＣ）値が、前記現在ピクチャの前記第１の参照ピクチャリスト中の参照ピクチャのＰＯＣ値と一致し、
第２の固定された参照ピクチャのＰＯＣ値が、前記現在ピクチャの第２の参照ピクチャリスト中の参照ピクチャのＰＯＣ値と一致する、Ｃ１４に記載の方法であって、
前記方法は、前記第２の固定された参照ピクチャと第２の時間参照ピクチャとの時間差を補償するために、前記現在ＰＵの第２の動きベクトルをスケーリングすることを更に備え、前記現在ＰＵの第２の参照インデックスが、前記現在ピクチャの前記第２の参照ピクチャリスト中での、前記第２の時間参照ピクチャの位置を示し、
前記現在ＰＵのための前記時間視差参照ブロックを決定することが、
前記スケーリングされた第１の動きベクトルによって示される位置における前記第１の固定された参照ピクチャのサンプルに基づいて、第１の予測時間視差参照ブロックを決定することと、
前記スケーリングされた第２の動きベクトルによって示される位置における前記第２の固定された参照ピクチャのサンプルに基づいて、第２の予測時間視差参照ブロックを決定することと、
前記第１の予測時間視差参照ブロック及び第２の予測時間視差参照ブロックに基づいて、前記現在ＰＵのための前記時間視差参照ブロックを決定することとを備える、Ｃ１４に記載の方法。
［Ｃ１７］
前記現在ピクチャの各々のそれぞれのＰＵに対して、前記現在ＰＵの前記スケーリングされた第２の動きベクトルと前記現在ＰＵの前記視差ベクトルとに基づいて前記それぞれのＰＵのための時間視差参照ブロックを決定するために前記参照ビュー中で動き補償を実行するとき、前記第２の固定された参照ピクチャ以外の参照ピクチャがアクセスされない、Ｃ１６に記載の方法。
［Ｃ１８］
前記現在ＰＵのための前記予測ブロックを決定することが、前記スケーリングされた動きベクトルによって示される位置に関連付けられた割り当てられた参照ピクチャのサンプルに基づいて前記予測ブロックを決定することを備え、前記割り当てられた参照ピクチャのピクチャ順序カウント（ＰＯＣ）値が前記固定された参照ピクチャのＰＯＣ値と一致し、前記割り当てられた参照ピクチャが前記現在ピクチャと同じビューの中にある、Ｃ１４に記載の方法。
［Ｃ１９］
前記固定された参照ピクチャが、前記現在ピクチャのための前記参照ピクチャリスト中の参照ピクチャのピクチャ順序カウント（ＰＯＣ）値と一致するＰＯＣ値を有する、Ｃ１４に記載の方法。
［Ｃ２０］
前記現在ビューの中にある割り当てられたピクチャを決定することと、
前記視差参照ピクチャの参照ピクチャリストが前記割り当てられたピクチャと同じＰＯＣ値を有する特定の参照ビューピクチャを含むとき、前記特定の参照ビューピクチャとなるように前記固定された参照ピクチャを設定することとを更に備え、
前記割り当てられたピクチャが、前記現在ピクチャの前記参照ピクチャリストの中で最小の参照ピクチャインデックスを有すること、
前記割り当てられたピクチャの前記ＰＯＣ値が、前記現在ピクチャの前記参照ピクチャリスト中の任意の他の参照ピクチャのＰＯＣ値よりも、前記現在ピクチャのＰＯＣ値に近いこと、
前記割り当てられたピクチャの時間識別子が、前記現在ピクチャの前記参照ピクチャリスト中の任意の他の参照ピクチャの時間識別子よりも低いこと、
前記割り当てられたピクチャの量子化パラメータが、前記現在ＰＵの前記参照ピクチャリスト中の参照ピクチャの中で最小の量子化パラメータであること、及び、
前記割り当てられた参照ピクチャが、スライスヘッダ、ピクチャパラメータセット、又はビデオパラメータセットにおいて信号伝達されること
という基準の１つが、前記割り当てられた参照ピクチャを特徴付ける、Ｃ１４に記載の方法。
［Ｃ２１］
前記視差参照ピクチャの前記参照ピクチャリストが、前記割り当てられたピクチャと同じＰＯＣ値を有する参照ピクチャを含まないとき、前記視差参照ピクチャの前記参照ピクチャリスト中の別のピクチャとなるように、前記固定された参照ピクチャを設定することを更に備える、Ｃ２０に記載の方法。
［Ｃ２２］
前記固定された参照ピクチャが、
前記固定された参照ピクチャが、前記視差参照ピクチャの参照ピクチャリストの中で最小の参照ピクチャインデックスを有すること、
前記固定された参照ピクチャのＰＯＣ値が、前記参照ビューに属する任意の他の参照ピクチャのＰＯＣ値よりも、前記現在ピクチャのＰＯＣ値に近いこと、
前記固定された参照ピクチャの前記時間識別子が、前記参照ビューの任意の他の参照ピクチャの時間識別子よりも低いこと、及び、
前記固定された参照ピクチャの前記量子化パラメータが、前記参照ビューの任意の他の参照ピクチャの量子化パラメータよりも低いことという基準の１つを満たす、Ｃ１４に記載の方法。
［Ｃ２３］
前記現在ＰＵのための前記視差ベクトルを決定するために、隣接ブロックベースの視差ベクトル（ＮＢＤＶ）導出プロセスを実行することを更に備え、
前記固定された参照ピクチャが、前記ＮＢＤＶ導出プロセスで使用される前記第１の候補ピクチャ又は第２の候補ピクチャのＰＯＣ値と等しいＰＯＣ値を有する、Ｃ１４に記載の方法。
［Ｃ２４］
前記動きベクトルをスケーリングした後で、前記現在ＰＵの前記スケーリングされた動きベクトルを整数精度へと丸めることを更に備え、
前記時間視差参照ブロックを決定することが、前記丸められたスケーリングされた動きベクトルと前期視差参照ブロックの前記位置とに基づいて、前記現在ＰＵに対する前記残差予測子を決定することを備える、Ｃ１４に記載の方法。
［Ｃ２５］
前記現在ＰＵのための前記予測ブロックを決定することが、前記時間参照ピクチャのルーマ成分及びクロマ成分に双線形フィルタを適用することを備える、Ｃ１４に記載の方法。
［Ｃ２６］
前記現在ＰＵのための前記予測ブロックを決定することが、前記割り当てられた参照ピクチャのルーマ成分及びクロマ成分に双線形フィルタを適用することを備える、Ｃ１４に記載の方法。
［Ｃ２７］
参照ピクチャを記憶するメモリと、
１つ以上のプロセッサとを備え、前記１つ以上のプロセッサが、
現在ピクチャと時間参照ピクチャとの間のピクチャ順序カウント（ＰＯＣ）距離と、前記現在ピクチャと固定されたピクチャとの間のＰＯＣ距離との差を補償するために、前記現在ピクチャの現在コード化単位（ＣＵ）の現在予測単位（ＰＵ）の動きベクトルをスケーリングし、
ここにおいて、前記現在ピクチャは、現在ビューの中にあり現在アクセス単位の中にあり、視差参照ピクチャは、参照ビューの中にあり前記現在アクセス単位の中にあり、前記時間参照ピクチャは、前記現在ビューの中にあるが前記現在アクセス単位の中になく、前記現在ＰＵの参照インデックスは、前記現在ピクチャの参照ピクチャリスト内の前記時間参照ピクチャの位置を示す、
前記現在ＰＵのための予測ブロックを決定し、
前記現在ＰＵの視差ベクトルによって示される位置に関連付けられた前記視差参照ピクチャのサンプルに基づいて、視差参照ブロックを決定し、
前記現在ＰＵの前記スケーリングされた動きベクトルと前記視差ベクトルとによって示される位置に関連付けられた前記固定された参照ピクチャのサンプルに基づいて、前記現在ＰＵのための時間視差参照ブロックを決定し、
前記現在ＰＵに対する残差予測子を決定し、ここにおいて、前記現在ＰＵに対する前記残差予測子の各サンプルは、前記現在ＰＵのための前記時間視差参照ブロックのサンプルと前記視差参照ブロックの対応するサンプルとの差を示す、ように構成される、ビデオコード化装置。
［Ｃ２８］
前記現在ピクチャの各々のそれぞれのＰＵに対して、前記現在ピクチャの前記参照ピクチャリストに関連付けられる動きベクトルと前記それぞれのＰＵの前記視差ベクトルとに基づいて前記それぞれのＰＵのための時間視差参照ブロックを決定するために前記参照ビュー中で動き補償を実行するとき、前記固定された参照ピクチャ以外の参照ピクチャがアクセスされない、Ｃ２７に記載のビデオコード化装置。
［Ｃ２９］
前記固定された参照ピクチャが第１の固定された参照ピクチャであり、前記現在ピクチャの前記参照ピクチャリストが前記現在ピクチャの第１の参照ピクチャリストであり、前記時間参照ピクチャが第１の時間参照ピクチャであり、前記時間視差参照ブロックが第１の時間視差参照ブロックであり、前記現在ＰＵの前記動きベクトルが前記現在ＰＵの第１の動きベクトルであり、
前記第１の固定された参照ピクチャのピクチャ順序カウント（ＰＯＣ）値が、前記現在ピクチャの前記第１の参照ピクチャリスト中の参照ピクチャのＰＯＣ値と一致し、
第２の固定された参照ピクチャのＰＯＣ値が、前記現在ピクチャの第２の参照ピクチャリスト中の参照ピクチャのＰＯＣ値と一致する、Ｃ２７に記載のビデオコード化装置であって、
前記１つ以上のプロセッサが更に、前記第２の固定された参照ピクチャと時間参照ピクチャとの時間差を補償するために、前記現在ＰＵの第２の動きベクトルをスケーリングするように構成され、前記現在ＰＵの第２の参照インデックスが、前記現在ピクチャの前記第２の参照ピクチャリスト中での、前記第２の時間参照ピクチャの位置を示し、
前記現在ＰＵのための前記時間視差参照ブロックを決定するために、前記１つ以上のプロセッサが、
前記スケーリングされた第１の動きベクトルによって示される位置における前記第１の固定された参照ピクチャのサンプルに基づいて、第１の予測時間視差参照ブロックを決定し、
前記スケーリングされた第２の動きベクトルによって示される位置における前記第２の固定された参照ピクチャのサンプルに基づいて、第２の予測時間視差参照ブロックを決定し、
前記第１の予測時間視差参照ブロック及び第２の予測時間視差参照ブロックに基づいて、前記現在ＰＵのための前記時間視差参照ブロックを決定する、Ｃ２７に記載のビデオコード化装置。
［Ｃ３０］
前記現在ピクチャの各々のそれぞれのＰＵに対して、前記現在ＰＵの前記スケーリングされた第２の動きベクトルと前記現在ＰＵの前記視差ベクトルとに基づいて前記それぞれのＰＵのための時間視差参照ブロックを決定するために前記参照ビュー中で動き補償を実行するとき、前記第２の固定された参照ピクチャ以外の参照ピクチャがアクセスされない、Ｃ２９に記載のビデオコード化装置。
［Ｃ３１］
前記現在ＰＵのための前記予測ブロックを決定するために、前記１つ以上のプロセッサが、前記スケーリングされた動きベクトルによって示される位置に関連付けられた割り当てられた参照ピクチャのサンプルに基づいて前記予測ブロックを決定し、前記割り当てられた参照ピクチャのピクチャ順序カウント（ＰＯＣ）値が前記固定された参照ピクチャのＰＯＣ値と一致し、前記割り当てられた参照ピクチャが前記現在ピクチャと同じビューの中にある、Ｃ２７に記載のビデオコード化装置。
［Ｃ３２］
前記固定された参照ピクチャが、前記現在ピクチャの参照ピクチャリスト中の前記参照ピクチャのピクチャ順序カウント（ＰＯＣ）値と一致するＰＯＣ値を有する、Ｃ２７に記載のビデオコード化装置。
［Ｃ３３］
前記１つ以上のプロセッサが、
前記現在ビューの中にある割り当てられたピクチャを決定し、
前記視差参照ピクチャの参照ピクチャリストが前記割り当てられたピクチャと同じＰＯＣ値を有する特定の参照ビューピクチャを含むとき、前記特定の参照ビューピクチャとなるように前記固定された参照ピクチャを設定するように構成され、
前記割り当てられたピクチャが、前記現在ピクチャの前記参照ピクチャリストの中で最小の参照ピクチャインデックスを有すること、
前記割り当てられたピクチャの前記ＰＯＣ値が、前記現在ピクチャの前記参照ピクチャリスト中の任意の他の参照ピクチャのＰＯＣ値よりも、前記現在ピクチャのＰＯＣ値に近いこと、
前記割り当てられたピクチャの時間識別子が、前記現在ピクチャの前記参照ピクチャリスト中の任意の他の参照ピクチャの時間識別子よりも低いこと、
前記割り当てられたピクチャの量子化パラメータが、前記現在ＰＵの前記参照ピクチャリスト中の参照ピクチャの中で最小の量子化パラメータであること、及び、
前記割り当てられた参照ピクチャが、スライスヘッダ、ピクチャパラメータセット、又はビデオパラメータセットにおいて信号伝達されること
という基準の１つが、前記割り当てられた参照ピクチャを特徴付ける、Ｃ２７に記載のビデオコード化装置。
［Ｃ３４］
前記視差参照ピクチャの前記参照ピクチャリストが、前記割り当てられたピクチャと同じＰＯＣ値を有する参照ピクチャを含まないとき、前記１つ以上のプロセッサが前記視差参照ピクチャの前記参照ピクチャリスト中の別のピクチャとなるように前記固定された参照ピクチャを設定するように、前記１つ以上のプロセッサが構成される、Ｃ３３に記載のビデオコード化装置。
［Ｃ３５］
前記固定された参照ピクチャが、
前記固定された参照ピクチャが、前記視差参照ピクチャの参照ピクチャリストの中で最小の参照ピクチャインデックスを有すること、
前記固定された参照ピクチャのＰＯＣ値が、前記参照ビューに属する任意の他の参照ピクチャのＰＯＣ値よりも、前記現在ピクチャのＰＯＣ値に近いこと、
前記固定された参照ピクチャの前記時間識別子が、前記参照ビューの任意の他の参照ピクチャの時間識別子よりも低いこと、及び、
前記固定された参照ピクチャの前記量子化パラメータが、前記参照ビューの任意の他の参照ピクチャの量子化パラメータよりも低いことという基準の１つを満たす、Ｃ２７に記載のビデオコード化装置。
［Ｃ３６］
前記１つ以上のプロセッサが更に、前記現在ＰＵのための前記視差ベクトルを決定するために、隣接ブロックベースの視差ベクトル（ＮＢＤＶ）導出プロセスを実行するように構成され、
前記固定された参照ピクチャが、前記ＮＢＤＶ導出プロセスで使用される前記第１の候補ピクチャ又は第２の候補ピクチャのＰＯＣ値と等しいＰＯＣ値を有する、Ｃ２７に記載のビデオコード化装置。
［Ｃ３７］
前記１つ以上のプロセッサが更に、前記動きベクトルをスケーリングした後で、前記現在ＰＵの前記動きベクトルを整数精度へと丸めるように構成され、
前記時間視差参照ブロックを決定するために、前記１つ以上のプロセッサが、前記丸められたスケーリングされた動きベクトルと前記視差参照ブロックの前記位置とに基づいて、前記現在ＰＵに対する前記残差予測子を決定する、Ｃ２７に記載のビデオコード化装置。
［Ｃ３８］
前記１つ以上のプロセッサが、前記時間参照ピクチャのルーマ成分及びクロマ成分に双線形フィルタを適用することへ構成される、Ｃ２７に記載のビデオコード化装置。
［Ｃ３９］
前記１つ以上のプロセッサが、前記割り当てられた参照ピクチャのルーマ成分及びクロマ成分に双線形フィルタを適用するように構成される、Ｃ２７に記載のビデオコード化装置。
［Ｃ４０］
前記１つ以上のプロセッサが更に、信号伝達された残差ブロックと、前記現在ＰＵに対する前記残差予測子と、前記現在ＰＵのための前記予測ブロックとに基づいて、コード化ブロックを再構成するように構成される、Ｃ２７に記載のビデオコード化装置。
［Ｃ４１］
前記１つ以上のプロセッサが更に、
現在ＣＵのための最終残差ブロックを決定し、ここにおいて、前記最終残差ブロックは、前記現在ＣＵのためのコード化ブロック中のサンプルと、前記現在ＰＵのための前記予測ブロック中のサンプルと、前記現在ＰＵに対する前記残差予測子中のサンプルとの差を示すサンプルを備える、
ビットストリーム中に、前記現在ＣＵのための前記最終残差ブロックを表すデータを含むように構成される、Ｃ２７に記載のビデオコード化装置。
［Ｃ４２］
前記１つ以上のプロセッサが、
前記現在ＰＵの前記動きベクトルを前記固定された参照ピクチャへとスケーリングし、
前記予測ブロックを決定するために前記現在ＰＵの前記スケーリングされた動きベクトルを使用するように構成される、Ｃ２７に記載のビデオコード化装置。
［Ｃ４３］
現在ピクチャと時間参照ピクチャとの間のピクチャ順序カウント（ＰＯＣ）距離と、前記現在ピクチャと固定されたピクチャとの間のＰＯＣ距離との差を補償するために、前記現在ピクチャの現在コード化単位（ＣＵ）の現在予測単位（ＰＵ）の動きベクトルをスケーリングするための手段と、
ここにおいて、前記現在ピクチャは、現在ビューの中にあり現在アクセス単位の中にあり、視差参照ピクチャは、参照ビューの中にあり前記現在アクセス単位の中にあり、前記時間参照ピクチャは、前記現在ビューの中にあるが前記現在アクセス単位の中になく、前記現在ＰＵの参照インデックスは、前記現在ピクチャの参照ピクチャリスト内の前記時間参照ピクチャの位置を示す、
前記現在ＰＵのための予測ブロックを決定するための手段と、
前記現在ＰＵの視差ベクトルによって示される位置に関連付けられた前記視差参照ピクチャのサンプルに基づいて、視差参照ブロックを決定するための手段と、
前記現在ＰＵの前記スケーリングされた動きベクトルと前記視差ベクトルとによって示される位置に関連付けられた前記固定された参照ピクチャのサンプルに基づいて、前記現在ＰＵのための時間視差参照ブロックを決定するための手段と、
前記現在ＰＵに対する残差予測子を決定するための手段と、ここにおいて、前記現在ＰＵに対する前記残差予測子の各サンプルは、前記現在ＰＵのための前記時間視差参照ブロックのサンプルと前記視差参照ブロックの対応するサンプルとの差を示す、を備える、ビデオコード化装置。
［Ｃ４４］
実行されると、
現在ピクチャと時間参照ピクチャとの間のピクチャ順序カウント（ＰＯＣ）距離と、前記現在ピクチャと固定されたピクチャとの間のＰＯＣ距離との差を補償するために、前記現在ピクチャの現在コード化単位（ＣＵ）の現在予測単位（ＰＵ）の動きベクトルをスケーリングし、
ここにおいて、前記現在ピクチャは、現在ビューの中にあり現在アクセス単位の中にあり、視差参照ピクチャは、参照ビューの中にあり前記現在アクセス単位の中にあり、前記時間参照ピクチャは、前記現在ビューの中にあるが前記現在アクセス単位の中になく、前記現在ＰＵの参照インデックスは、前記現在ピクチャの参照ピクチャリスト内の前記時間参照ピクチャの位置を示す、
前記現在ＰＵのための予測ブロックを決定し、
前記現在ＰＵの視差ベクトルによって示される位置に関連付けられた前記視差参照ピクチャのサンプルに基づいて、視差参照ブロックを決定し、
前記現在ＰＵの前記スケーリングされた動きベクトルと前記視差ベクトルとによって示される位置に関連付けられた前記固定された参照ピクチャのサンプルに基づいて、前記現在ＰＵのための時間視差参照ブロックを決定し、
前記現在ＰＵに対する残差予測子を決定し、ここにおいて、前記現在ＰＵに対する前記残差予測子の各サンプルは、前記現在ＰＵのための前記時間視差参照ブロックのサンプルと前記視差参照ブロックの対応するサンプルとの差を示す、ようにビデオコード化装置を構成する命令を記憶した、非一時的コンピュータ可読記憶媒体。